(57)【要約】      （修正有）【課題】厚紙を用いて製作することにより、従来よりも大幅に製造コストを下げることができると共に、廃棄するときも処理が簡単に済むようにする。【解決手段】厚味の４倍の幅を有する背板２の左右に夫々、ＣＤ、ＤＶＤ等のディスクの面積より広い、台板３，４を構成する外板３Ａ，４Ａを連設すると共に外板の外側に、背板２の半分の幅を有する連結片部５，６を介して、外板と同一の大きさをなす、台板を構成する内板３Ｂ，４Ｂを連設する。一方側の内板３Ｂの中央部にＣＤ、ＤＶＤ等のディスクの直径より僅かに大径のＣＤ、ＤＶＤ等のディスク収納用の円形の孔７を設ける一方、他方側の内板４Ｂの中央部に、ブックレット収納用の四角形の孔８を設ける。前記背板２と外板との境界部、外板と連結片部との境界部並びに連結片部と内板との境界部に夫々所要の深さの切り込み９，９，９…を入れて折り曲げ自在とする。【選択図】図１
0003107058.tif 000002
【実用新案登録請求の範囲】
【請求項１】
長方形の厚紙を用いて製作し、背板を挟んで台板を設け、一方の台板の内面に、ＣＤ、ＤＶＤ等のディスクの直径より僅かに大径の凹部を設けてディスクの収納部となすと共に、もう一方の台板の内面に、ブックレット又はＣＤ、ＤＶＤ等のディスクの収納部を設け、前記両方の台板の背板との境界部に所要の深さの切り込みを入れて折り曲げ自在となしたことを特徴とするＣＤ、ＤＶＤ等のディスクケース。
【請求項２】
ＣＤ、ＤＶＤ等のディスクより若干厚味のある長方形の厚紙を用いて製作し、厚味の４倍の幅を有する背板の左右に夫々、ＣＤ、ＤＶＤ等のディスクの面積より広い、台板を構成する外板を連設すると共に該外板の外側に、背板の半分の幅を有する連結片部を介して、該外板と同一の大きさをなす、台板を構成する内板を連設し、一方側の内板の中央部にＣＤ、ＤＶＤ等のディスクの直径より僅かに大径のＣＤ、ＤＶＤ等のディスク収納用の円形の孔を設ける一方、他方側の内板の中央部に、ブックレット収納用の四角形の孔又はＣＤ、ＤＶＤ等のディスク収納用の円形の孔を設け、前記背板と外板との境界部、外板と連結片部との境界部並びに連結片部と内板との境界部に夫々所要の深さの切り込みを入れて折り曲げ自在となし、更に内板を夫々内側に折り返して外板に重合し、これらを接着して台板としてなることを特徴とするＣＤ、ＤＶＤ等のディスクケース。
【請求項３】
ＣＤ、ＤＶＤ等のディスクより若干薄い長方形の厚紙を用いて製作し、厚味の約６倍の幅を有する背板の左右に夫々、ＣＤ、ＤＶＤ等のディスクの面積より広い、台板を構成する外板を連設すると共に該外板の外側に、背板の半分の幅を有する連結片部を介して、該外板と同一の大きさをなす、台板を構成する内板を連設し、一方側の内板の中央部にＣＤ、ＤＶＤ等のディスクの直径より僅かに大径のＣＤ、ＤＶＤ等のディスク収納用の円形の孔を設ける一方、他方側の内板の中央部に、ブックレット収納用の四角形の孔又はＣＤ、ＤＶＤ等のディスク収納用の円形の孔を設け、前記背板と外板との境界部、外板と連結片部との境界部並びに連結片部と内板との境界部に夫々所要の深さの切り込みを入れて折り曲げ自在となし、更に前記外板、内板と同一の厚味で且つ同一の大きさをなし、中央部に夫々前記ＣＤ、ＤＶＤ等のディスク収納用の円形の孔又はブックレット収納用の四角形の孔と同一の孔を設けた中間板を挟んで前記内板を夫々内側に折り返し、これら内板と中間板と外板とを接着して台板としてなることを特徴とするＣＤ、ＤＶＤ等のディスクケース。
【請求項４】
一方の中間板のブックレット収納用の四角形の孔を、一方側の内板のブックレット収納用の四角形の孔よりも大きくなし、該中間板の四角形の孔の上辺、下辺又は外側の側辺のいずれかを外部と連通せしめてなる請求項３記載のＣＤ、ＤＶＤ等のディスクケース。
【考案の詳細な説明】
【技術分野】
【０００１】  本考案はＣＤ、ＤＶＤ等のディスクケースに関するものである。
【背景技術】
【０００２】  従来、ＣＤ、ＤＶＤ等のディスクケースはプラスチックによって製作されている。しかし、プラスチックによって製作する場合には、ディスクを収納する本体ケースと、ブックレットを内面に保持するようにした蓋体とを別々に製作しなければならず、工程が面倒である。また、材料費や型代も相当高くつく。これらのことから、一個あたりの製造コストが高くつくことになる。加えて、廃棄するときにも、公害問題等が起きることから紙や木のように簡単に焼却することができず、処理に余分な費用がかかることになる。
【考案の開示】
【考案が解決しようとする課題】
【０００３】  本考案は上記の点に鑑みなされたものであって、厚紙を用いて製作することにより、従来よりも大幅に製造コストを下げることができると共に、廃棄するときも処理が簡単に済むようになしたＣＤ、ＤＶＤ等のディスクケースを提供せんとするものである。
【課題を解決するための手段】
【０００４】  而して、本考案は、以下のＣＤ、ＤＶＤ等のディスクケースを要旨とするものである。
（１）長方形の厚紙を用いて製作し、背板を挟んで台板を設け、一方の台板の内面に、ＣＤ、ＤＶＤ等のディスクの直径より僅かに大径の凹部を設けてディスクの収納部となすと共に、もう一方の台板の内面に、ブックレット又はＣＤ、ＤＶＤ等のディスクの収納部を設け、前記両方の台板の背板との境界部に所要の深さの切り込みを入れて折り曲げ自在となしたことを特徴とするＣＤ、ＤＶＤ等のディスクケース。【０００５】（２）ＣＤ、ＤＶＤ等のディスクより若干厚味のある長方形の厚紙を用いて製作し、厚味の４倍の幅を有する背板の左右に夫々、ＣＤ、ＤＶＤ等のディスクの面積より広い、台板を構成する外板を連設すると共に該外板の外側に、背板の半分の幅を有する連結片部を介して、該外板と同一の大きさをなす、台板を構成する内板を連設し、一方側の内板の中央部にＣＤ、ＤＶＤ等のディスクの直径より僅かに大径のＣＤ、ＤＶＤ等のディスク収納用の円形の孔を設ける一方、他方側の内板の中央部に、ブックレット収納用の四角形の孔又はＣＤ、ＤＶＤ等のディスク収納用の円形の孔を設け、前記背板と外板との境界部、外板と連結片部との境界部並びに連結片部と内板との境界部に夫々所要の深さの切り込みを入れて折り曲げ自在となし、更に内板を夫々内側に折り返して外板に重合し、これらを接着して台板としてなることを特徴とするＣＤ、ＤＶＤ等のディスクケース。【０００６】（３）ＣＤ、ＤＶＤ等のディスクより若干薄い長方形の厚紙を用いて製作し、厚味の約６倍の幅を有する背板の左右に夫々、ＣＤ、ＤＶＤ等のディスクの面積より広い、台板を構成する外板を連設すると共に該外板の外側に、背板の半分の幅を有する連結片部を介して、該外板と同一の大きさをなす、台板を構成する内板を連設し、一方側の内板の中央部にＣＤ、ＤＶＤ等のディスクの直径より僅かに大径のＣＤ、ＤＶＤ等のディスク収納用の円形の孔を設ける一方、他方側の内板の中央部に、ブックレット収納用の四角形の孔又はＣＤ、ＤＶＤ等のディスク収納用の円形の孔を設け、前記背板と外板との境界部、外板と連結片部との境界部並びに連結片部と内板との境界部に夫々所要の深さの切り込みを入れて折り曲げ自在となし、更に前記外板、内板と同一の厚味で且つ同一の大きさをなし、中央部に夫々前記ＣＤ、ＤＶＤ等のディスク収納用の円形の孔又はブックレット収納用の四角形の孔と同一の孔を設けた中間板を挟んで前記内板を夫々内側に折り返し、これら内板と中間板と外板とを接着して台板としてなることを特徴とするＣＤ、ＤＶＤ等のディスクケース。【０００７】  また、上記（３）のＣＤ、ＤＶＤ等のディスクケースにおいて、一方の中間板のブックレット収納用の四角形の孔を、一方側の内板のブックレット収納用の四角形の孔よりも大きくなし、該中間板の四角形の孔の上辺、下辺又は外側の側辺のいずれかを外部と連通せしめるようになしてもよい。
【考案の効果】
【０００８】  本考案は上記の如き構成であり、厚紙を用いて製作するものであるから、従来よりも大幅に製造コストを下げることができると共に、廃棄するときにも処理が簡単に済むものである。【０００９】  また、請求項４の構成となし、ブックレットを外側から差し込んで収納するようになした場合には、内板と外板間にブックレットの周縁部が挟まれた状態となり、より安定した保持が得られるようになる。
【考案を実施するための最良の形態】
【００１０】  本考案を実施するための最良の形態は、長方形の厚紙を用いて製作し、背板を挟んで台板を設け、一方の台板の内面に、ＣＤ、ＤＶＤ等のディスクの直径より僅かに大径の凹部を設けてディスクの収納部となすと共に、もう一方の台板の内面に、ブックレット又はＣＤ、ＤＶＤ等のディスクの収納部を設け、前記両方の台板の背板との境界部に所要の深さの切り込みを入れて折り曲げ自在となすことにある。
【実施例１】
【００１１】  以下、本考案の実施例について説明する。
図１は本考案の実施例１の斜視図、図２は展開状態の平面図、図３は図２中Ａ部分の拡大断面図、図４は図２中Ｂ部分の拡大断面図、図５は内板を内側に折り返して外板に重合した状態の平面図である。【００１２】  図中、１は本実施例に係るＣＤ、ＤＶＤ等のディスクケースである。また、該ＣＤ、ＤＶＤ等のディスクケース１は、ＣＤ、ＤＶＤ等のディスクより若干厚味のある長方形の厚紙を用いて製作し、厚味の４倍の幅（Ｗ１）を有する背板２の左右に夫々、ＣＤ、ＤＶＤ等のディスクの面積より広い、台板３，４を構成する外板３Ａ，４Ａを連設すると共に該外板３Ａ，４Ａの外側に、背板２の半分の幅（Ｗ２）を有する連結片部５，６を介して、該外板３Ａ，４Ａと同一の大きさをなす、台板３，４を構成する内板３Ｂ，４Ｂを連設し、一方側の内板３Ｂの中央部にＣＤ、ＤＶＤ等のディスクの直径より僅かに大径のＣＤ、ＤＶＤ等のディスク収納用の円形の孔７を設ける一方、他方側の内板４Ｂの中央部に、ブックレット収納用の四角形の孔８を設け、前記背板２と外板３Ａ，４Ａとの境界部、外板３Ａ，４Ａと連結片部５，６との境界部並びに連結片部５，６と内板３Ｂ，４Ｂとの境界部に夫々所要の深さの切り込み９，９，９…を入れて折り曲げ自在となし、更に内板３Ｂ，４Ｂを夫々内側に折り返して外板３Ａ，４Ａに重合し、これらを接着して台板３，４としてなるものである。【００１３】  また、用いる厚紙としては、樹脂等のフィルムで表面を覆ったものが望ましい。また、ＣＤ、ＤＶＤ等のディスク収納用の円形の孔７には、その一部に外側に向けて半円状の指差し込み部７ａを設けている。また、本実施例では、他方側の内板４Ｂに、ブックレット収納用の四角形の孔８を設けた場合を示したが、これに代えてＣＤ、ＤＶＤ等のディスク収納用の円形の孔を設けるようにしてもよい。また、切り込み９としては、断面Ｖ字形の切り込みとすることが望ましく、そして斯かる切り込みを入れる手段としては、刃先がＶ字形ののみを用い、機械によって切削することが考えられる。【００１４】  而して、上記の如くして図１に示す状態となったら、台板３のＣＤ、ＤＶＤ等のディスク収納用の円形の孔７にＣＤ、ＤＶＤ等のディスク（図示せず。）を嵌め入れて収納する一方、台板４のブックレット収納用の四角形の孔８にブックレット（図示せず。）を嵌め入れて収納し、最後に台板３，４を合わせて閉じるものである。尚、本実施例では、ＣＤ、ＤＶＤ等のディスクを、ＣＤ、ＤＶＤ等のディスク収納用の円形の孔７に嵌め入れて収納するようになしているが、場合によってはＣＤ、ＤＶＤ等のディスクの中央部の孔に嵌合してこれを保持する部材を用い、これをＣＤ、ＤＶＤ等のディスク収納用の円形の孔７の中央部に設けてこれにより保持するようにしてもよい。
【実施例２】
【００１５】  次に、図６乃至図８に示した本考案の実施例２について説明する。
図６は本考案の実施例２の斜視図、図７は展開状態の平面図、図８は内板を内側に折り返して外板に重合した状態の平面図である。【００１６】  図中、１０は本実施例に係るＣＤ、ＤＶＤ等のディスクケースである。また、該ＣＤ、ＤＶＤ等のディスクケース１０は、ＣＤ、ＤＶＤ等のディスクより若干薄い長方形の厚紙を用いて製作し、厚味の約６倍の幅を有する背板１１の左右に夫々、ＣＤ、ＤＶＤ等のディスクの面積より広い、台板１２，１３を構成する外板１２Ａ，１３Ａを連設すると共に該外板１２Ａ，１３Ａの外側に、背板１１の半分の幅を有する連結片部１４，１５を介して、該外板１２Ａ，１３Ａと同一の大きさをなす、台板１２，１３を構成する内板１２Ｂ，１３Ｂを連設し、一方側の内板１２Ｂの中央部にＣＤ、ＤＶＤ等のディスクの直径より僅かに大径のＣＤ、ＤＶＤ等のディスク収納用の円形の孔１６を設ける一方、他方側の内板１３Ｂの中央部に、ブックレット収納用の四角形の孔１７を設け、前記背板１１と外板１２Ａ、１３Ａとの境界部、外板１２Ａ，１３Ａと連結片部１４，１５との境界部並びに連結片部１４，１５と内板１２Ｂ，１３Ｂとの境界部に夫々所要の深さの切り込み１８，１８，１８…を入れて折り曲げ自在となし、更に前記外板１２Ａ，１３Ａ、内板１２Ｂ，１３Ｂと同一の厚味で且つ同一の大きさをなし、中央部に夫々前記ＣＤ、ＤＶＤ等のディスク収納用の円形の孔１６又はブックレット収納用の四角形の孔１７と同一の孔１９，２０を設けた中間板２１，２２を挟んで前記内板１２Ｂ，１３Ｂを夫々内側に折り返し、これら内板１２Ｂ，１３Ｂと中間板２１，２２と外板１２Ａ，１３Ａとを接着して台板１２，１３としてなるものである。尚、本実施例の作用は、前記実施例１と同様であるから、詳細な説明は省略する。【００１７】  また、本実施例では、一方の中間板２２のブックレット収納用の四角形の孔２０を、一方側の内板１３Ｂのブックレット収納用の四角形の孔１７よりも大きくなし、該中間板２２の四角形の孔２０の下辺を外部と連通せしめている。このようになすことによってブックレットを差込口２３から差し込んで収納するようになした場合には、内板１３Ｂと外板１３Ａ間にブックレットの周縁部が挟まれた状態となり、より安定した保持が得られるものである。
【図面の簡単な説明】
【００１８】
【図１】本考案の実施例１の斜視図である。
【図２】展開状態の平面図である。
【図３】図２中Ａ部分の拡大断面図である。
【図４】図２中Ｂ部分の拡大断面図である。
【図５】内板を内側に折り返して外板に重合した状態の平面図である。
【図６】本考案の実施例２の斜視図である。
【図７】展開状態の平面図である。
【図８】内板を折り返して外板に重合した状態の平面図である。
【符号の説明】
【００１９】１  ＣＤ、ＤＶＤ等のディスクケース
２  背板
３，４    台板
３Ａ，４Ａ  外板
３Ｂ，４Ｂ  内板
５，６  連結片部
７  ＣＤ、ＤＶＤ等のディスク収納用の円形の孔
８  ブックレット収納用の四角形の孔
９，９  切り込み
１０  ＣＤ、ＤＶＤ等のディスクケース
１１  背板
１２，１３  台板
１２Ａ、１３Ａ  外板
１２Ｂ，１３Ｂ  内板
１４，１５  連結片部
１６  ＣＤ、ＤＶＤ等のディスク収納用の円形の孔
１７  ブックレット収納用の四角形の孔
１８，１８  切り込み
１９  中間板のＣＤ、ＤＶＤ等のディスク収納用の円形の孔
２０  中間板のブックレット収納用の四角形の孔
２１，２２  中間板
【図１】
0003107058.tif 000003
【図２】
0003107058.tif 000004
【図３】
0003107058.tif 000005
【図４】
0003107058.tif 000006
【図５】
0003107058.tif 000007
【図６】
0003107058.tif 000008
【図７】
0003107058.tif 000009
【図８】
0003107058.tif 000010